(57)【特許請求の範囲】
【請求項１】
送信局から緊急地震情報を受信する受信部と、
前記緊急地震情報に関する防災警報情報の音声の履歴が記憶される音声情報履歴テーブルを有する信号処理記憶部と、
前記防災警報情報の映像の履歴が記憶される映像情報履歴テーブルと、設定地域割当ビット番号を記憶する設定地域割当ビット番号テーブルとを有する制御記憶部と、
制御部と、
前記受信部から前記緊急地震情報を受信し、前記緊急地震情報内のＡＣ信号情報を前記制御部に送信する信号処理部と、
前記防災警報情報を出力する出力部と、
を備え、
前記制御部は、
前記ＡＣ信号情報内にある地震動情報のビットの内、前記設定地域割当ビット番号に該当するビット情報に従い、前記緊急地震情報が送信された日時情報と、前記防災警報情報とを前記出力部に音声により出力させる場合に、前記日時情報と前記防災警報情報とを再生させるための音声の履歴情報を前記音声情報履歴テーブルに記憶させ、前記日時情報と前記防災警報情報とを前記出力部に映像により出力させる場合に、前記日時情報と前記防災警報情報とを再生させるための映像の履歴情報を前記映像情報履歴テーブルに記憶させる、
ことを特徴とする緊急災害情報受信機。
【請求項２】
前記制御部は、
前記ＡＣ信号情報内にある地震動情報における警報対象地域が、自身が設置されている地域を含まない場合に、地震動情報の警報対象地域である、自身が設置されていない他の地域名の情報を、前記防災警報情報として前記出力部により出力させる、
ことを特徴とする請求項１に記載の緊急災害情報受信機。
【請求項３】
前記出力部は、画像処理部と表示部とを有し、
前記制御記憶部は、割当ビット番号と地域名文字データとを対応して記憶する変換テーブルと、前記防災警報情報を報知するための定型文字データを記憶する定型文字データテーブルとを有し、
前記制御部は、
前記ＡＣ信号情報内にある地震動情報のビットの内、前記設定地域割当ビット番号に該当するビットの情報が地震動情報の警報対象地域であることを示す場合に、
前記設定地域割当ビット番号に対応する前記地域名文字データを、前記変換テーブルから取得し、
前記定型文字データを前記定型文字データテーブルから取得し、
前記防災警報情報として、前記地域名文字データ及び前記定型文字データを再生させるための読み出しコードを、前記画像処理部へ送信するとともに、前記映像情報履歴テーブルに記憶させ、
前記画像処理部は、前記防災警報情報として、前記地域名文字データ及び前記定型文字データを前記表示部に表示させる、
ことを特徴とする請求項１又は請求項２に記載の緊急災害情報受信機。
【請求項４】
前記緊急地震情報は、緊急地震音声情報を有し、
前記出力部は、音声処理部と音声出力部とを有し、
前記制御部は、前記ＡＣ信号情報内にある地震動情報のビットの内、前記設定地域割当ビット番号に該当するビットの情報が地震動情報の警報対象地域であることを示す場合に、前記音声処理部に対し前記緊急地震音声情報の音声出力指示を送信し、
前記信号処理部は、前記制御部からの音声出力指示を受けて前記緊急地震音声情報を、前記防災警報情報として、前記音声処理部へ送信するとともに、前記音声情報履歴テーブルに記憶させ、
前記音声処理部は、前記防災警報情報として、前記緊急地震音声情報を前記音声出力部から音声出力させる、
ことを特徴とする請求項１乃至請求項３の何れかに記載の緊急災害情報受信機。
【請求項５】
入力部をさらに備え、
前記制御部は、
前記入力部からの指示に従い、音声の履歴情報を前記音声情報履歴テーブルに記憶させた場合は前記音声情報履歴テーブルから、又は、映像の履歴情報を前記映像情報履歴テーブルに記憶させた場合は前記映像情報履歴テーブルから過去の前記防災警報情報を再生するためのデータを取得し、
前記防災警報情報を前記出力部により出力させる、
ことを特徴とする請求項１乃至請求項４の何れかに記載の緊急災害情報受信機。
【請求項６】
前記制御部は、
前記防災警報情報を出力させる際、前記ＡＣ信号情報から前記日時情報を取得して、前記日時情報を前記防災警報情報とともに前記出力部から出力させ、
前記日時情報を再生させるための読み出しコードを、前記防災警報情報の音声の履歴と対応させて前記音声情報履歴テーブルに記憶させる、又は、前記防災警報情報の映像の履歴と対応させて前記映像情報履歴テーブルに記憶させる、
ことを特徴とする請求項１乃至請求項５の何れかに記載の緊急災害情報受信機。
【発明の詳細な説明】
【技術分野】
【０００１】
本発明は、緊急災害情報受信機に係り、特に、緊急地震速報を受信して報知する緊急災害情報受信機に関する。
【背景技術】
【０００２】
地震などの緊急を要する災害が発生した場合、送信局から送信された災害情報を受信して報知させる緊急災害情報受信機が提示されている。例えば、待機時にラジオの音声の中から緊急地震速報のチャイム音を検出し、検出した時にスピーカーからラジオの音声を出力する防災行政ラジオ（ラジオ付き防災行政無線受信機）や緊急告知受信機が提案されている。
【０００３】
また、特許文献１には、ラジオ放送における緊急地震速報を受信した時や防災行政無線放送を受信したときに、これらの放送内容をスピーカーから発音する防災無線受信機が開示されている。この防災無線受信機は、緊急地震速報とともに発信されるチャイム音を検出することにより緊急地震速報が発報されたことを検知する。
【０００４】
一方、地上波テレビジョン放送では、放送中の映像や音声に重ねる形で緊急地震速報を送信している。しかしながら、送信機側の符号化や受信機側の復号化等で遅延が発生し、速報性に課題があった。これを解決するため、付加情報を伝送するためのＡＣ（Ａｕｘｉｌｉａｒｙ  Ｃｈａｎｎｅｌ）信号を利用して緊急地震速報の情報を送信する方式がＡＲＩＢ（ＳＴＤ−Ｂ３１）の規格に追加された。これによると、緊急地震速報は、セグメントＮｏ．０のＡＣ信号（キャリア）を用いて伝送される。
【０００５】
例えば、特許文献２には、放送局からＡＣ信号を利用して緊急地震速報が発報されると、その旨を表示部に表示すると共に、使用者の設定に従い警報音を発生させる緊急災害情報受信装置が開示されている。また、この緊急災害情報受信装置は、緊急地震速報を受信すると、エレベータ等の外部機器を安全に動作させるための制御信号を出力端子から出力すると共に、外部のテレビ受信装置に対し、緊急放送を受信させるための指令信号（電源オン指令、緊急放送選局指令）をリモコン送信部から送信させる。
【先行技術文献】
【特許文献】
【０００６】
【特許文献１】特開２０１４−０８６９２８号公報
【特許文献２】特開２０１３−２１１７５４号公報
【発明の概要】
【発明が解決しようとする課題】
【０００７】
しかしながら、特許文献１に記載の防災無線受信機のように、ラジオ放送の音声の中から緊急地震速報のチャイム音を検出する方式では、アナログの音声を解析するため、緊急地震速報とは関係ない音声でも特定の周波数の音の変化がチャイム音と似ていた場合に誤検知してしまうことがあった。また、全国規模の放送では、住んでいる場所とは関係ない地域に関する緊急地震速報も検出（例えば、東京に住んでいても北海道に向けた緊急地震速報も検出）してしまい、聞いている人に対し自身の地域に関する緊急地震速報であるのか混乱させてしまうこともある。そして、このような事が続くと、本当に関係のある緊急地震速報に対する注意力を低下させてしまうおそれが生じる。
【０００８】
また、緊急地震速報を聞き逃した場合、特許文献２に記載の緊急災害情報受信装置では、その後の放送で再度緊急地震速報が送られてこないと、その内容を確認することが困難であった。
【０００９】
本発明は、以上の点に鑑み、該当地域の住民等に対して確実に警報の報知を可能とすると共に、再確認も可能とする緊急災害情報受信機を提供することを目的とする。
【課題を解決するための手段】
【００１０】
本発明に係る緊急災害情報受信機は、送信局から緊急地震情報を受信する受信部と、前記緊急地震情報に関する防災警報情報の履歴が登録される履歴テーブルと、設定地域割当ビット番号を記憶する設定地域割当ビット番号テーブルとを有する記憶部と、制御部と、前記受信部から前記緊急地震情報を受信し、前記緊急地震情報内のＡＣ信号情報を前記制御部に送信する信号処理部と、前記防災警報情報を出力する出力部と、を備え、前記制御部は、前記ＡＣ信号情報内にある地震動情報のビットの内、前記設定地域割当ビット番号に該当するビット情報に従い、前記緊急地震情報が送信された日時情報と、前記防災警報情報とを前記出力部に出力させ、前記日時情報と前記防災警報情報とを再生させるための履歴情報を前記履歴テーブルに記憶させる、ことを特徴とする。
【００１１】
また、前記制御部は、前記ＡＣ信号情報内にある地震動情報における警報対象地域が、自身が設置されている地域を含まない場合に、地震動情報の警報対象地域である、自身が設置されていない他の地域名の情報を、前記防災警報情報として前記出力部により出力させる、ことを特徴とする。
【００１２】
また、前記出力部は、画像処理部と表示部とを有し、前記記憶部は、割当ビット番号と地域名文字データとを対応して記憶する変換テーブルと、前記防災警報情報を報知するための定型文字データを記憶する定型文字データテーブルとを有し、前記制御部は、前記ＡＣ信号情報内にある地震動情報のビットの内、前記設定地域割当ビット番号に該当するビットの情報が地震動情報の警報対象地域であることを示す場合に、前記設定地域割当ビット番号に対応する前記地域名文字データを、前記変換テーブルから取得し、前記定型文字データを前記定型文字データテーブルから取得し、前記防災警報情報として、前記地域名文字データ及び前記定型文字データを再生させるための読み出しコードを、前記画像処理部へ送信するとともに、前記履歴テーブルに記憶させ、前記画像処理部は、前記防災警報情報として、前記地域名文字データ及び前記定型文字データを前記表示部に表示させる、ことを特徴とする。
【００１３】
また、前記緊急地震情報は、緊急地震音声情報を有し、前記出力部は、音声処理部と音声出力部とを有し、前記制御部は、前記ＡＣ信号情報内にある地震動情報のビットの内、前記設定地域割当ビット番号に該当するビットの情報が地震動情報の警報対象地域であることを示す場合に、前記音声処理部に対し前記緊急地震音声情報の音声出力指示を送信し、前記信号処理部は、前記制御部からの音声出力指示を受けて前記緊急地震音声情報を、前記防災警報情報として、前記音声処理部へ送信するとともに、前記履歴テーブルに記憶させ、前記音声処理部は、前記防災警報情報として、前記緊急地震音声情報を前記音声出力部から音声出力させる、ことを特徴とする。
【００１４】
また、入力部をさらに備え、前記制御部は、前記入力部からの指示に従い、前記履歴テーブルに登録された、過去の前記防災警報情報を再生するためのデータを取得し、前記防災警報情報を前記出力部により出力させる、ことを特徴とする。
【００１５】
また、前記制御部は、前記防災警報情報を出力させる際、前記ＡＣ信号情報から前記日時情報を取得して、前記日時情報を前記防災警報情報とともに前記出力部から出力させ、前記日時情報を再生させるための読み出しコードを前記防災警報情報と対応させて、前記履歴テーブルに記憶させる、ことを特徴とする。
【発明の効果】
【００１６】
本発明によると、割当ビット番号が予め設定される緊急災害情報受信機により緊急地震速報を受信可能とするため、チャイム音によらずに報知対象の地域判定を行うことができ、誤報知を少なくして該当地域の住民等に確実迅速に、現在又は過去の警報を報知することのできる緊急災害情報受信機を提供することができる。
【００１７】
また、自身が設置されていない他の地域名の情報を防災警報情報として出力させる緊急災害情報受信機は、他の地域の地震動情報を参考的な情報として確認することができる。
【００１８】
また、画像処理部と表示部を有する緊急災害情報受信機は、音声による防災警報情報の報知が困難であり、緊急地震速報に関する映像情報が送信局からすぐに送信されない場合であっても、視覚情報により緊急地震情報を報知することができる。
【００１９】
また、緊急地震音声情報を有する緊急地震情報を受信する緊急災害情報受信機は、送信局からのＡＣ信号情報による地域判定を行っているため、誤報知の少ない防災警報情報を音声により出力することができる。
【００２０】
また、入力部を有する緊急災害情報受信機は、過去にどのような防災警報情報を受信したか履歴の確認を行うことができる。
【００２１】
また、日時情報と防災警報情報を対応させて記憶する緊急地震情報受信機は、緊急地震情報に関する防災警報情報とともにその送信日時情報を報知させることができる。
【図面の簡単な説明】
【００２２】
【図１】本発明の実施形態に係る緊急災害情報受信機の外観図である。
【図２】本発明の実施形態に係る緊急災害情報受信機の構成図である。
【図３】本発明の実施形態に係る信号処理記憶部の構成図である。
【図４】本発明の実施形態に係る制御記憶部の構成図である。
【図５】本発明の実施形態に係る音声情報履歴テーブルの構成図である。
【図６】本発明の実施形態に係る変換テーブルの構成図である。
【図７】本発明の実施形態に係る映像情報履歴テーブルの構成図である。
【図８】本発明の実施形態に係る緊急地震情報の構成図である。
【図９】本発明の実施形態に係るＴＳ信号情報の構成図である。
【図１０】本発明の実施形態に係るＡＣ信号情報の構成図である。
【図１１】本発明の実施形態に係る信号処理部のフローチャート説明図である。
【図１２】本発明の実施形態に係る制御部のフローチャート説明図である。
【発明を実施するための形態】
【００２３】
今日、地上波テレビジョン放送ではＡＣ信号と呼ばれる付加情報信号を伝送するための信号に緊急地震速報の情報を載せて送信している。本実施形態の緊急災害情報受信機は、ワンセグ受信部（チューナー）でワンセグ放送を受信してＡＣ信号を監視し、緊急地震速報の情報が検出された時はワンセグ音声及び／又は文字情報を出力する緊急地震速報検知機能を持つ。また、本実施形態の緊急災害情報受信機は、音声情報及び／又は文字情報を記録する記録部と操作ボタンとを備え、操作ボタンによる操作で緊急地震速報の履歴を音声情報及び／又は文字情報で参照することができる。
【００２４】
図１は、緊急災害情報受信機１００の外観図である。緊急災害情報受信機１００は本体正面に、表示部１０１、音声出力部１０２、入力部１０３を備える。入力部１０３は、設定ボタン１０４、操作ボタン１０５，１０６、戻るボタン１０７、決定／再生ボタン１０８を備える。また、緊急災害情報受信機１００は本体右側面に、音量ダイヤル１０９を備える。
【００２５】
本体正面において、表示部１０１は、ＬＣＤやＶＦＤ等の受信機内に配置された文字表示部である。音声出力部１０２は、本実施形態では本体正面の左側に配置されており、スピーカーとして警報音を出力する。操作ボタン１０５，１０６は、緊急災害情報受信機１００の設定時に選局や地域設定等を行うための−（戻り）ボタンや＋（送り）ボタンとして機能する。
【００２６】
本体右側面において、音量ダイヤル１０９は、警報音量等の設定を行うためのダイヤルである。本実施形態では、音量ダイヤル１０９の位置は、本体右側面に一部を突出させるようにして裏面側に配置されている。
【００２７】
図２は、緊急災害情報受信機１００の構成図である。緊急災害情報受信機１００は、アンテナ２０１、ワンセグ受信部２０２、信号処理部２０３、信号処理記憶部２０４、マイコン２０５、出力部２０９を備える。マイコン２０５は、制御部２０７及び制御記憶部２０８を有する。出力部２０９は、音声処理部２０６、画像処理部２１０、音声出力部１０２、表示部１０１を有する。
【００２８】
アンテナ２０１から入力されたワンセグ放送信号は、モジュール等で構成されるワンセグ受信部（ワンセグチューナー）２０２において復号化等の処理が行われ、映像情報と音声情報とＡＣ信号情報を含む情報がＴＳ（Ｔｒａｎｓｐｏｒｔ  Ｓｔｒｅａｍ）信号情報として信号処理部２０３へ出力される。
【００２９】
信号処理部２０３では、ＴＳ信号情報の中から音声情報を取り出して音声処理部２０６へ出力するとともに、ＡＣ信号の地域情報や画像情報等の情報を取り出して制御部２０７へ出力する。
【００３０】
制御部２０７はワンセグ受信部２０２の初期化等の制御を行う。また、信号処理部２０３からのＡＣ信号の情報が、自身（緊急災害情報受信機１００）の地域が対象となる緊急地震速報である場合、制御部２０７は、画像処理部２１０に文字情報（例えば、緊急地震速報  埼玉県）を出力して表示部１０１に文字情報を表示し、合わせて音声処理部２０６を介して音声出力部１０２から音声を出力させるように制御する。また、音声は信号処理記憶部２０４に、文字情報は制御記憶部２０８に記憶される。これにより、制御部２０７は、入力部１０３からの指示に従い、過去の緊急地震速報の履歴を音声又は文字で再生することができ、また、過去の複数の情報を遡って再生することができる。
【００３１】
音声処理部２０６は、音声信号の復号化等を行い、制御部２０７からの制御によって音声出力部１０２から音声を出力させる。
【００３２】
図３は、信号処理記憶部２０４の構成図である。信号処理記憶部２０４は、緊急地震速報を報知するための音声情報の履歴を記憶する、音声情報履歴テーブル３０１を有する。
【００３３】
図４は、制御記憶部２０８の構成図である。制御記憶部２０８は、変換テーブル４０１、定型文字データテーブル４０２、定型音声データテーブル４０３、設定地域割当ビット番号テーブル４０４、映像情報履歴テーブル４０５を有する。
【００３４】
変換テーブル４０１は、緊急地震速報に含まれる地域毎に割り当てられたビット番号を地域名に関するデータに変換するために用いられる。定型文字データテーブル４０２には、緊急地震速報の警報内容を文字出力するための定型文字データが予め登録されている。定型音声データテーブル４０３には、緊急地震情報の警報内容を音声出力するための定型音声データが予め登録されている。
【００３５】
定型文字データテーブル４０２及び定型音声データテーブル４０３には、ユーザーにより予め任意のデータをひとつ又は複数登録しておくことができる。また、定型音声データテーブル４０３には、ユーザーにより録音した音声を登録してもよい。設定地域割当ビット番号テーブル４０４には、緊急災害情報受信機１００の設置されている地域に対応した番号が登録されており、自身が報知対象地域に該当するかの判定に用いられる。制御部２０７は、出力させた緊急地震速報に関する防災警報情報を履歴情報として履歴テーブル（音声情報履歴テーブル３０１、映像情報履歴テーブル４０５）に記憶させることができる。例えば、映像情報履歴テーブル４０５には、緊急地震速報を報知するための文字情報の履歴が記憶される。
【００３６】
図５は、音声情報履歴テーブル３０１の構成図である。音声情報履歴テーブル３０１は、項番５０１、日時情報５０２、警報音声情報５０３を対応して記憶する。日時情報５０２には、送信局から、緊急地震速報に関する情報が送信された日時が記憶される。警報音声情報５０３には、防災警報情報を報知するための、警報音、アナウンス等が記憶される。そして、日時情報５０２と警報音声情報５０３は、項番５０１に登録された各項目番号に対応して記憶される。
【００３７】
または、日時情報５０２、警報音声情報５０３には、各々の情報を音声出力する警報音やアナウンス等を呼び出すための読み出しコードが記憶される。
【００３８】
図６は、変換テーブル４０１の構成図である。変換テーブル４０１は、割当ビット番号６０１に対し、地域名文字データ６０２、地域名音声データ６０３を記憶する。
【００３９】
割当ビット番号６０１は、地震動情報の警報対象地域毎に割り当てられているビット番号である。地域名データ（地域名文字データ６０２、地域名音声データ６０３）について、例えば、データ列６１１〜６１４のように、ひとつの都道府県を複数の地域に分割させた地域名データとして割り当ててもよいし、データ列６１５のように、ひとつの割当ビット番号６０１に対しひとつの都道府県名を地域名データとして割り当ててもよい。
【００４０】
なお、緊急災害情報受信機１００が設置されている地域に対応する割当ビット番号６０１は、マイコン２０５内の制御記憶部２０８にある設定地域割当ビット番号テーブル４０４に予め記憶してあり、緊急地震速報の警報対象地域の判定に利用することができる。
【００４１】
図７は、映像情報履歴テーブル４０５の構成図である。映像情報履歴テーブル４０５は、項番７０１、日時情報７０２、警報映像情報７０３を対応して記憶する。日時情報７０２には、送信局から、緊急地震速報に関する情報が送信された日時が記憶される。警報映像情報７０３には、防災警報情報を報知するための、動画、静止画、文字情報等が記憶される。そして、日時情報７０２と警報映像情報７０３は、項番７０１に登録された各項目番号に対応して記憶される。
【００４２】
または、日時情報７０２、警報映像情報７０３には、各々の情報を表示出力する文字等を呼び出すための読み出しコードが記憶される。
【００４３】
図８は、アンテナ２０１を介してワンセグ受信部２０２が受信する、緊急地震情報８００の構成図である。緊急地震情報８００は、映像情報８０１、ワンセグ音声情報８０２、ＡＣ信号情報８０３を有する。気象庁は、所定の最大震度以上の地震発生予測地域がある場合に、緊急地震速報に関する情報を発表する。テレビ等の送信局は、この情報を基に緊急地震情報８００を、ワンセグ放送信号のセグメント内に含めて送信する。
【００４４】
セグメント内のＡＣキャリアには、所定の震度以上が予測される地域の情報が、ＡＣ信号情報８０３として含まれている。詳細は図１０を用いて後述する。なお、映像情報８０１は、緊急地震速報に関連した警報情報であり、動画、静止画、文字等の視覚情報を含む。
【００４５】
図９は、ＴＳ信号情報９００の構成図である。ＴＳ信号情報９００は、ヘッダ部にシンクバイト９０１、インジケータ９０２、レングス９０３を有する。また、ＴＳ信号情報９００は、データ部にＡＣ信号情報９０４を有する。ワンセグ受信部２０２は、緊急地震情報８００のＡＣ信号情報８０３を、ＴＳ信号情報９００のＡＣ信号情報９０４に含め、信号処理部２０３に送信する。本図では、ＴＳ信号情報９００のデータ部にＡＣ信号情報８０３を含めた例を示しているが、データ部として映像情報８０１又はワンセグ音声情報８０２を含めてもよい。この場合、ワンセグ受信部２０２は、映像情報８０１又はワンセグ音声情報８０２を、他のＴＳ信号情報９００のＡＣ信号情報８０３と紐付けて、信号処理部２０３に送信することができる。
【００４６】
図１０は、ＡＣ信号情報８０３，９０４の構成図である。ＡＣ信号情報８０３，９０４は、構成識別１００１、開始／終了フラグ１００２、信号識別１００３、現在時刻（日時情報）１００４、ページ種別１００５、地震動情報１００６を有する。なお、ＡＣ信号情報８０３，９０４に含まれる情報は、ＡＲＩＢ  ＳＴＤ−Ｂ３１に規定されており、これら以外の情報も適宜含めることができる。
【００４７】
以下、ＡＲＩＢ  ＳＴＤ−Ｂ３１の形式に従って、ＡＣ信号情報が有する各情報について説明する。構成識別１００１は、ＡＣ信号情報が地震動警報情報の伝送であるかを示す情報である。ＡＣ信号情報自体は、地震動警報以外に、付加情報の伝達にも用いられているため、この構成識別１００１によりＡＣ信号情報が地震に関する情報であるか判定される。開始／終了フラグ１００２は、地震動警報情報の送出の開始又は終了を表す情報である。信号識別１００３は、地震動警報詳細情報の種別を表す情報である。現在時刻１００４は、地震動警報情報が送出される現在時刻情報であり、基準年月日時分秒からの経過秒数が二進数で表わされる。また、地震動情報１００６は、ページ種別１００５が「０」の場合に伝送される、所定の震度以上の地震が予測される地域である、地震動警報の警報対象地域を示す情報である。なお、本実施形態では、ページ種別１００５が「０」である場合について説明する。
【００４８】
地震動警報の警報対象地域を示す地震動情報１００６は、ＡＣ信号情報８０３，９０４の５６番目から１１１番目のビットに割り当てられ、１ビット毎に１地域の情報が割り当てられる。そして、ビット値が「１」の場合は地震動警報の警報対象地域を含まない地域であり、ビット値が「０」の場合は、地震動警報の警報対象地域を含む地域を示す。例えば、「Ｂ６９」（以下、Ｂはビット値、添え字はビット番号を表す）が「０」の場合、埼玉県が地震動警報の警報対象地域に含まれることを表す。
【００４９】
つぎに、電源投入時の処理について説明する。電源が投入されると、制御部２０７は、ワンセグ受信部２０２の初期設定、信号処理部２０３の初期設定、表示部１０１の初期設定等を行う。その後、ユーザーが操作ボタン（選局ボタン）１０５，１０６等によりワンセグ受信チャンネルや設置する地域を設定する。
【００５０】
具体的には、ユーザーは表示部１０１に表示される地域名文字データ６０２に従い、緊急災害情報受信機１００の設置される地域名を入力部１０３から入力する。地域名として、例えば都道府県名が入力される。制御部２０７は、変換テーブル４０１を参照し、入力された地域名に対応する割当ビット番号６０１を求め、求めた割当ビット番号６０１を制御記憶部２０８内の設定地域割当ビット番号テーブル４０４に記憶する。
【００５１】
ユーザーが入力部１０３を操作して、受信するワンセグ放送の放送局（例えば、電波状態の良い放送局や、地域に対応した放送局）を選局することにより、ワンセグ受信チャンネルが決定される。制御部２０７は、決定された受信チャンネルをチューニングするようにＩ２Ｃ（Ｉｎｔｅｒ  Ｉｎｔｅｇｒａｔｅｄ  Ｃｉｒｃｕｉｔ）を通してワンセグ受信部２０２に指示する。その後、ユーザーによる設定完了操作により、待機状態（スピーカー出力や文字表示のオフ状態）に入る。
【００５２】
つぎに、信号処理部２０３の処理について説明する。図１１は、信号処理部２０３のフローチャート説明図である。処理が開始されると、信号処理部２０３は、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を通して、制御部２０７からの指示を受けて初期設定を行い、ワンセグ受信部２０２のＡＣ信号を用いた緊急地震速報の検出に必要なＴＳ信号の処理を開始する。
【００５３】
ステップＳ１００で、信号処理部２０３は、ワンセグ受信部２０２から出力されたＴＳ信号情報９００にＡＣ信号情報が含まれていることを表すＡＣヘッダが送られていないか判定を行う。例えば、ＡＣヘッダはシンクバイト９０１に１バイト、インジケータ９０２に１バイト、レングス９０３に２バイトの情報を有する。シンクバイト９０１は、０ｘＢ０（１６進数のＢ０）ならＡＣ信号情報、０ｘ４７ならそれ以外の映像や音声の情報を表す。インジケータ９０２は、０ｘ８０ならスタートパケット、０ｘ２０ならエンドパケット、０ｘ４０なら中間パケットを表す。レングス９０３は、残りのバイト数を１６進数で表す。１パケットは、ヘッダ部とデータ部を合わせて１８８バイトから成り、１８８バイトに満たない部分は１８８バイトになるまで０ｘ００が連続で送信されてくる。
【００５４】
信号処理部２０３は、シンクバイト９０１が０ｘＢ０であることにより、ヘッダ部をＡＣヘッダとして検出した場合は、ステップＳ１１０の処理に進み、検出されない場合はステップＳ１００の処理を繰り返す。
【００５５】
ステップＳ１１０で、信号処理部２０３は、ＴＳ信号情報９００のＡＣヘッダに続くデータ（ＡＣ信号情報９０４）を取り込み、信号処理部２０３内のＦＩＦＯメモリ等の信号処理記憶部２０４に記憶する。
【００５６】
ステップＳ１２０で、信号処理部２０３は、ＡＣ信号情報９０４の最終バイトを取り込んだか判定を行う。信号処理部２０３は、最終バイトを取り込んでいればステップＳ１３０の処理に進み、取り込んでいなければステップＳ１１０の処理に戻る。本実施形態では、データの１８４バイト目が最終バイトとなり、レングス９０３の２バイトで表されるバイト数のデータが、ＡＣ信号情報９０４として有効なデータとなる。
【００５７】
ステップＳ１３０で、信号処理部２０３は、ＴＳ信号情報９００のヘッダを除いた残りのデータを制御部２０７へ送るための形式へフォーマット変換する。ワンセグ受信部２０２からのＡＣ信号情報９０４の１ビットのデータが１バイトのデータに（２進数の０ｂ１なら１６進数の０ｘＦＦに、０ｂ０なら０ｘ００に）変換されて送られてくる場合、信号処理部２０３は、データを１バイトから１ビットに（１６進数の０ｘＦＦなら２進数の０ｂ１に、０ｘ００なら０ｂ０に）フォーマット変換する。１バイト毎にフォーマット変換されたデータは信号処理記憶部２０４から消去される。
【００５８】
ステップＳ１４０で、信号処理部２０３は、フォーマット変換されたＡＣ信号情報９０４のデータを８ビット毎にＵＡＲＴ１から制御部２０７に向けて出力する。データ出力が終わるとステップＳ１００のＡＣヘッダの検出処理に戻る。
【００５９】
なお、ここではＵＡＲＴ１としたが、代わりに８ビットのパラレル通信等の別の通信方式を用いることも可能である。
【００６０】
図１２は、制御部２０７のフローチャート説明図である。制御部２０７は、本フローに従い緊急地震速報の警報内容（防災警報情報）を出力する。制御部２０７は、ユーザーによる設定完了操作により、待機状態（スピーカー出力や文字表示のオフ状態）に入ると、信号処理部２０３が送信する信号の検出処理を開始する。
【００６１】
ステップＳ２００で、制御部２０７は、ＵＡＲＴ１を通して信号処理部２０３からＡＣ信号情報９０４を受信したか判定を行う。ＡＣ信号情報９０４が受信された場合はステップＳ２１０に進み、受信されない場合はステップＳ２００の処理を繰り返す。
【００６２】
ステップＳ２１０で、制御部２０７は、ＵＡＲＴ１から受信されたＡＣ信号情報９０４を取り込み、マイコン２０５内部の制御記憶部２０８に保存する。
【００６３】
ステップＳ２２０で、制御部２０７は、ＡＣ信号情報９０４の最終バイトを取り込んだか判定を行う。最終バイトを取り込んでいればステップＳ２３０に進み、取り込んでいなければステップＳ２１０の処理に戻る。最終バイトの判定は、予めパケットのデータ量を決めておいて受信バイト数が予め定められたパケットのデータ量と一致するか判定する方法や、信号処理部２０３から送信するデータの先頭に送信バイト数が分かるヘッダを付けておき受信バイト数がヘッダにある送信バイト数と一致するか判定する方法等により行われる。
【００６４】
ステップＳ２３０で、制御部２０７は、受信したＡＣ信号情報９０４が緊急地震速報か判定を行い、緊急地震速報の場合はステップＳ２４０の処理に進み、緊急地震速報ではない場合はステップＳ２００の判定処理に戻る。
【００６５】
緊急地震速報の判定方法について説明する。ＡＲＩＢ  ＳＴＤ−Ｂ３１の形式のデータでは、Ｂ０からＢ２０３の２０４ビットのデータの内、緊急地震速報の場合は、Ｂ１からＢ３（構成識別１００１）の値は２進数で０ｂ００１または０ｂ１１０であると規定されており、緊急地震速報でない場合は、それ以外の値であると規定されている。制御部２０７は、これらのビットを参照して緊急地震速報であるか否かの判定処理を行う。
【００６６】
ステップＳ２４０で、制御部２０７は、さらに緊急地震速報の警報対象地域の中に予め設定されている自身（緊急災害情報受信機１００）の地域が含まれているか判定を行い、自身（緊急災害情報受信機１００）の地域が含まれている場合は、ステップＳ２５０の処理に進み、含まれていない場合はステップＳ２７０の処理に進む。
【００６７】
緊急地震速報の警報対象地域の判定方法について、ＡＲＩＢ  ＳＴＤ−Ｂ３１の形式のデータでは、Ｂ５６からＢ１１１（地震動情報１００６）のデータ上、１ビットに対し各々１地域が割り当てられており、警報対象地域に該当する場合はビット値を「０」、警報対象地域に該当しない場合は「１」と規定されている。制御部２０７は、予め設定されている自身（緊急災害情報受信機１００）の設置地域情報に該当するビットの値を見て、「０」なら警報対象地域に含まれ、「１」なら警報対象地域に含まれないと判定する。
【００６８】
具体例を図６を参照して説明する。例えば、初期設定時にユーザーに設定してもらった地域が埼玉県の場合、設定地域割当ビット番号テーブル４０４には、「埼玉県」に対応する割当ビット番号６０１である「６９」が予め登録されている。制御部２０７は、設定地域割当ビット番号テーブル４０４を参照し、登録されているデータが「６９」であるため、地震動情報１００６のＢ６９のデータを確認する。制御部２０７は、Ｂ６９のデータが「０」なら警報対象地域であると判定し、Ｂ６９のデータが「１」なら警報対象地域に含まれないと判定する。
【００６９】
図１２に戻り、ステップＳ２５０で、制御部２０７は、緊急地震速報の警報内容を出力する。例えば、文字表示出力の場合、制御部２０７は、制御記憶部２０８の定型文字データテーブル４０２から警報であることを示す定型文字データ「緊急地震速報」を取得する。また、制御部２０７は、変換テーブル４０１を参照し、データ列６１５で設定地域割当ビット番号テーブル４０４のデータ「６９」に対応する地域名文字データ６０２「埼玉県」を取得する。さらに、制御部２０７は、ＡＣ信号情報９０４の現在時刻１００４を取得する。制御部２０７は、現在時刻１００４が示す送信日時情報を報知するための定型文字データを定型文字データテーブル４０２から取得する。その後、制御部２０７は、ＵＡＲＴ（例えば、ＵＡＲＴ２）を通して画像処理部２１０に、日時を示す定型文字データ及び「緊急地震速報」と「埼玉県」の文字データを、表示出力指示とともに送信する。画像処理部２１０は、制御部２０７から受信したこれらの文字データを、表示部１０１に表示させる。これにより、例えば、「○○月△△日××時○○分  緊急地震速報  埼玉県」の文字をスクロール表示させることができる。なお、日時情報として、年や秒の情報を適宜表示させてもよい。
【００７０】
また、ステップＳ２５０において、地震動情報の警報対象地域で自身（緊急災害情報受信機１００）の地域と異なるひとつ又は複数の地域名を参考的な情報として併せて表示部１０１に表示又は音声出力部１０２に出力させるようにしてもよい。
【００７１】
ステップＳ２６０で、緊急災害情報受信機１００は、ステップＳ２５０で取得した文字データの読み出しコードを履歴情報として内部に記憶する。具体的には、ステップＳ２５０において、制御部２０７は、日時を示す定型文字データの読み出しコードを日時情報７０２として、警報を示す定型文字データ及び地域名文字データ６０２の読み出しコードを警報映像情報７０３として、映像情報履歴テーブル４０５内に記憶する。
【００７２】
一方、ステップＳ２７０で、制御部２０７は、自身（緊急災害情報受信機１００）の設置されている地域と異なる地域の緊急地震速報に関する情報を報知する。例えば、文字表示出力の場合、制御部２０７は、自身（緊急災害情報受信機１００）の地域と異なる地域に割当てられたビットのうち、地震動情報の警報対象地域であることを示すビットを特定し、その特定されたビットに対応するひとつ又は複数の地域名文字データ６０２を変換テーブル４０１より取得する。また、制御部２０７は、ＡＣ信号情報９０４の現在時刻１００４を取得する。制御部２０７は、現在時刻１００４が示す送信日時情報を報知するための定型文字データと警報であることを示す定型文字データとを制御記憶部２０８の定型文字データテーブル４０２から取得する。制御部２０７は、取得した地域名文字データと定型文字データ及び画像出力指示を画像処理部２１０へ送信する。そして、画像処理部２１０は、日時及び警報を示す定型文字データと、地域名文字データとを表示部１０１より連続して表示することができる。
【００７３】
ステップＳ２８０で、緊急災害情報受信機１００は、ステップＳ２７０で取得した文字データ又は音声データの読み出しコードを内部に記憶する。具体的には、ステップＳ２７０において文字表示出力を行った場合、制御部２０７は、日時を示す定型文字データの読み出しコードを日時情報７０２として、警報を示す定型文字データ及び地域名文字データ６０２の読み出しコードを警報映像情報７０３として、映像情報履歴テーブル４０５内に記憶する。
【００７４】
なお、初期設定時に、自身（緊急災害情報受信機１００）の設定地域割当ビット番号が緊急地震速報の地震動情報の警報対象地域に含まれない場合に、警報出力「する」又は「しない」の選択ができるようにする事も可能である。ユーザーが、自身（緊急災害情報受信機１００）の設定地域コードが地震動情報の警報対象地域に該当しないときに警報出力「しない」方を選択した場合、ステップＳ２７０及びステップＳ２８０の処理を省略、又は、ステップＳ２７０の処理を省略し、自身（緊急災害情報受信機１００）が警報対象地域に含まれない緊急地震速報を出力せずに待機状態に戻ることができる。
【００７５】
一定時間経過後、警報出力処理及び警報記録処理が終わったら、処理は待機状態（音声出力や文字表示のオフ状態）に入り、ステップＳ２００の判定に戻る。
【００７６】
つぎに、緊急地震速報の警報内容の他の出力方法ついて説明する。緊急災害情報受信機１００は、緊急地震速報の警報内容を装置に固定された音声で出力することができる。
【００７７】
固定音声出力の場合、ステップＳ２５０において、制御部２０７は、制御記憶部２０８の定型音声データテーブル４０３から警報であることを示す定型音声データを取得する。また、制御部２０７は、変換テーブル４０１を参照し、例えば、データ列６１５で設定地域割当ビット番号テーブル４０４のデータ「６９」に対応する「埼玉県」を示す地域名音声データ６０３を取得する。さらに、制御部２０７は、ＡＣ信号情報９０４の現在時刻１００４を取得する。制御部２０７は、現在時刻１００４が示す送信日時を報知するための定型音声データを定型音声データテーブル４０３から取得する。その後、制御部２０７は、日時情報及び警報であることを示す定型音声データと地域名音声データとを、音声出力指示と共に音声処理部２０６へ送信する。音声処理部２０６は、制御部２０７から受信したこれらの音声データを、音声出力部１０２から出力する。これにより、緊急地震情報の受信の際、音声信号が送信局から遅れて送信されてくる場合や音声信号の復調や復号に時間を要する場合であっても、防災警報情報を確実に音声出力させることができる。
【００７８】
ステップＳ２６０で、制御部２０７は、定型音声データテーブル４０３から取得した定型音声データ及び地域名音声データ６０３の読み出しコードを、登録指示とともに信号処理部２０３へ送信する。これにより、制御部２０７は、信号処理部２０３により、日時を示す定型音声データの読み出しコードを日時情報５０２として、警報を示す定型音声データ及び地域名音声データ６０３の読み出しコードを警報音声情報５０３として、音声情報履歴テーブル３０１内に記憶する。
【００７９】
また、ステップＳ２７０において、制御部２０７は、ＡＣ信号情報９０４の現在時刻１００４を取得する。制御部２０７は、現在時刻１００４が示す送信日時を報知するための定型音声データと、警報であることを示す定型音声データとを制御記憶部２０８の定型音声データテーブル４０３から取得する。制御部２０７は、自身（緊急災害情報受信機１００）の地域と異なる地域のうち、地震動情報の警報対象地域となる地域の地域名音声データ６０３を取得する。そして、制御部２０７は、日時及び警報を示す定型音声データと、地域名音声データ６０３とを、音声出力指示とともに音声処理部２０６へ送信する。音声処理部２０６は、制御部２０７から受信したこれらの音声データを音声出力部１０２から出力させる。
【００８０】
ステップＳ２８０で、制御部２０７は、日時及び警報を示す定型音声データの読み出しコードと、地域名音声データ６０３の読み出しコードとを登録指示とともに信号処理部２０３へ送信する。これにより、制御部２０７は、信号処理部２０３により、日時を示す定型音声データの読み出しコードを日時情報５０２として、警報を示す定型音声データ及び地域名音声データ６０３の読み出しコードを警報音声情報５０３として、音声情報履歴テーブル３０１内に記憶する。
【００８１】
つぎに、緊急地震速報の警報内容の他の出力方法について説明する。緊急災害情報受信機１００は、緊急地震速報の警報内容を、受信した音声により出力することができる。
【００８２】
例えば、ワンセグ受信部２０２は、ＡＣ信号情報８０３を信号処理部２０３に送信する際、ワンセグ音声情報８０２をＡＣ信号情報８０３と紐づけて送信する。ステップＳ１００で、信号処理部２０３は、ＴＳ信号情報９００にＡＣヘッダが検出されない場合であっても、他のＡＣ信号情報９０４と紐づいたワンセグ音声情報８０２を受信したと判断した場合は、ステップＳ１１０へ進む。ステップＳ１１０で、信号処理部２０３は、ワンセグ音声情報８０２を信号処理記憶部２０４に記憶する。
【００８３】
制御部２０７は、ステップＳ２４０で、自身（緊急災害情報受信機１００）の設置地域情報が地震動情報の警報対象地域であると判定すると、ステップＳ２５０に進む。ステップＳ２５０で、制御部２０７は、ワンセグ音声を再生するように信号処理部２０３及び音声処理部２０６に指示を出す。信号処理部２０３は、ワンセグ音声情報８０２を復号し、復号した音声データを音声処理部２０６で処理ができるフォーマットに変換して、音声処理部２０６に出力する。音声処理部２０６は、信号処理部２０３からの音声データを、デジタル−アナログ変換処理をして音声出力部１０２から一定時間（例えば、３分間など設定で変えられるようにしておき）出力する。
【００８４】
ステップＳ２６０で、制御部２０７は、信号処理部２０３へ緊急地震速報の音声情報を履歴として記憶するように指示を出す。信号処理部２０３は、一定時間分の音声データを、日時情報５０２と共に警報音声情報５０３として、音声情報履歴テーブル３０１に記憶する。なお、信号処理部２０３は、日時情報５０２として、ＡＣ信号情報９０４に含まれる現在時刻１００４を記憶することができる。
【００８５】
なお、ステップＳ２７０では、ステップＳ２５０と同様に、制御部２０７は、ワンセグ音声情報８０２を音声出力部１０２から出力させる。また、ステップＳ２８０では、ステップＳ２６０と同様に、制御部２０７は、一定時間分の音声データを、日時情報５０２と共に警報音声情報５０３として、音声情報履歴テーブル３０１内に記憶させる。
【００８６】
つぎに、緊急地震速報の警報内容の他の出力方法について説明する。緊急災害情報受信機１００は、緊急地震速報に含まれる映像情報を表示することができる。
【００８７】
例えば、ワンセグ受信部２０２は、ＡＣ信号情報８０３を信号処理部２０３に送信する際、映像情報８０１をＡＣ信号情報８０３と紐づけて送信する。ステップＳ１００で、信号処理部２０３は、ＴＳ信号情報９００にＡＣヘッダが検出されない場合であっても、他のＡＣ信号情報９０４と紐づいた映像情報８０１を受信したと判断した場合は、ステップＳ１１０へ進む。ステップＳ１１０で、信号処理部２０３は、映像情報８０１を信号処理記憶部２０４に記憶する。
【００８８】
制御部２０７は、ステップＳ２４０で、自身（緊急災害情報受信機１００）の設置地域情報が地震動情報の警報対象地域であると判定すると、ステップＳ２５０に進む。ステップＳ２５０で、制御部２０７は、映像情報を再生するように信号処理部２０３及び画像処理部２１０に指示を出す。信号処理部２０３は、映像情報８０１を復号し、復号した映像データを画像処理部２１０で処理ができるフォーマットに変換して、制御部２０７を介して、画像処理部２１０に出力する。画像処理部２１０は、信号処理部２０３からの画像データを、表示部１０１から一定時間（例えば、３分間など設定で変えられるようにしておき）出力する。
【００８９】
ステップＳ２６０で、制御部２０７は、信号処理部２０３から受信した緊急地震速報の映像情報を履歴として記憶する。制御部２０７は、一定時間分の映像データを日時情報７０２と共に警報映像情報７０３として映像情報履歴テーブル４０５に記憶する。なお、制御部２０７は、日時情報７０２として、ＡＣ信号情報９０４に含まれる現在時刻１００４を記憶することができる。
【００９０】
また、ステップＳ２７０では、ステップＳ２５０と同様に、制御部２０７は、映像情報８０１を表示部１０１に表示させる。また、ステップＳ２８０では、ステップＳ２６０と同様に、制御部２０７は、一定時間分の映像データを、日時情報７０２と共に警報映像情報７０３として、映像情報履歴テーブル４０５内に記憶する。
【００９１】
なお、緊急地震情報の受信における、防災警報情報の出力方法は、適宜組み合わせて適用させることができる。また、音声出力又は文字表示を行う場合において、自身（緊急災害情報受信機１００）の設定地域コードが地震動情報の警報対象地域に含まれないときは警報出力「しない」の選択が初期設定時に設定された場合、制御部２０７は、ステップＳ２７０及びステップＳ２８０の処理を省略、又は、ステップＳ２７０の処理を省略することができる。
【００９２】
以上のように本実施形態の緊急災害情報受信機１００は、警報記録処理を行っているため、過去の防災警報情報の履歴を出力させることができる。例えば、制御部２０７は、入力部１０３からの指示にしたがい、映像情報履歴テーブル４０５の警報映像情報７０３を表示、又は音声情報履歴テーブル３０１の警報音声情報５０３を音声出力させることができる。また、このとき、警報映像情報７０３及び警報音声情報５０３の各々に対応して記憶された日時情報を、適宜出力させることができる。
【００９３】
これにより、例えば、ユーザーが決定／再生ボタン１０８を押すと、最新の履歴の文字情報、音声、映像が再生され、戻るボタン１０７を押すと一つ前（過去）の履歴の文字情報、音声、映像が再生される。また、ユーザーが戻るボタン１０７を押す毎に、さらに前（過去）の履歴に遡って文字情報、音声、映像が再生される。
【００９４】
また、制御部２０７は、ステップＳ２５０又はステップＳ２７０において、防災警報情報を文字表示と音声出力の両方の形式で出力させる場合、ステップＳ２６０及びステップＳ２８０において、互いの防災警報情報を関連データとして紐づけて履歴テーブルに記憶させることができる。例えば、音声情報履歴テーブル３０１の警報音声情報５０３に対応する項番５０１と、映像情報履歴テーブル４０５の警報映像情報７０３に対応する項番７０１とを、紐づけておく。これにより、映像情報履歴テーブル４０５を参照して履歴出力を行う場合であっても、制御部２０７は、ひとつのデータを選択することで関連する警報音声情報を読み込み、警報音声情報の再生を容易に行うことができる。
【００９５】
また、項番に限らず、日時情報により紐づけることも可能である。例えば、ひとつの緊急災害情報に対して文字表示と音声出力の両方の形式で出力された場合、音声情報履歴テーブル３０１に記憶される日時情報５０２と映像情報履歴テーブル４０５に記憶される日時情報７０２とを同値とすることで、日時情報により警報音声情報５０３と警報映像情報７０３とを関連データとして紐づけることができる。これにより、例えば、制御部２０７は、映像情報履歴テーブル４０５に登録された日時情報７０２のデータを表示部１０１に表示させ、ユーザーが入力部１０３により任意の日時情報を選択する。制御部２０７は、入力部１０３からの指示に従い、ひとつの日時情報７０２に対応するひとつ又は複数のデータ（警報音声情報５０３及び／又は警報映像情報７０３）を出力部により出力させることができる。
【００９６】
以上のように本実施形態によると、ワンセグ放送のＡＣ信号による緊急地震速報は専用の信号であり、人間に向けた報知音であるラジオの緊急地震速報のチャイム音に比べて正確であるため、誤検知の少ない緊急災害情報受信機を構成することができる。また、ＡＣ信号には緊急地震速報の対象となる地域の情報も含まれるため、設置場所が報知対象となる地域に含まれるか判別し、関係のない速報を出力対象から除外する事ができる。また、ワンセグ放送による緊急地震速報は、テレビ放送の映像や音声と比べて遅延の少ないＡＣ信号を利用しているため、テレビに流れる映像や音声よりも早く緊急地震速報を伝える事ができる。
【００９７】
また、緊急地震速報を聞き逃した場合、その後の放送で再度緊急地震情報が送られてこないと、その内容を確認することが困難であったが、入力部１０３からの操作により過去の情報を再生する事ができ、どのような警報が発令されたか聞きたい時に確認する事ができる。また、従来のラジオの音声では日時のアナウンスがされない場合があり、緊急地震情報を録音してもいつ発令されたか分からないことがあったが、警報音声情報に日時情報が対応して記憶及び出力されるためいつ発令されたか分かる。
【００９８】
以上、本発明の実施形態を説明したが、本発明は本実施形態によっては限定されることはなく、種々の形態で実施することができる。
【００９９】
例えば本実施形態では、緊急地震情報８００が送信された日時情報を、ＡＣ信号情報に含まれる情報にしたがって求めたが、これに限らず、緊急災害情報受信機１００内の内部時計より取得した日時情報を、日時情報５０２に登録するデータとして用いてもよい。
【０１００】
また、本実施形態では、音声情報履歴テーブル３０１に日時情報５０２及び警報音声情報５０３には再生する音声データを特定するための読み出しコードを記憶する例を示したが、これに限らず、音声情報履歴テーブル３０１に登録するデータとして、音声データを記憶させる構成としてもよい。例えば、日時情報５０２には定型音声データテーブル４０３から取得した日時を示す定型音声データを、警報音声情報５０３には定型音声データテーブル４０３から取得した警報を示す定型音声データと変換テーブル４０１から取得した地域名音声データ６０３とを登録することができる。
【０１０１】
また、映像情報履歴テーブル４０５についても、本実施形態では、日時情報７０２及び警報映像情報７０３には表示させる文字データを特定するための読み出しコードを記憶する例を示したが、これに限らず、映像情報履歴テーブル４０５に登録するデータとして、映像データを記憶させる構成としてもよい。例えば、日時情報７０２には定型文字データテーブル４０２から取得した日時を示す定型文字データを、警報映像情報７０３には定型文字データテーブル４０２から取得した定型文字データと変換テーブル４０１から取得した地域名文字データ６０２とを登録することができる。
【０１０２】
また、信号処理部２０３及び音声処理部２０６は、マイコン２０５の制御部２０７とは別の処理部として構成したが、ＦＰＧＡ（ｆｉｅｌｄ−ｐｒｏｇｒａｍｍａｂｌｅ  ｇａｔｅ  ａｒｒａｙ）、ＤＳＰ（Ｄｉｇｉｔａｌ  Ｓｉｇｎａｌ  Ｐｒｏｃｅｓｓｏｒ）等の高速処理が可能なデバイスであれば、一つの処理部として構成することができる。また、この場合、信号処理記憶部２０４及び制御記憶部２０８を、一つの記憶部として構成してもよい。
【０１０３】
本発明の実施形態における処理は、コンピュータに実現させることのできるプログラムとして、例えば磁気ディスク、光ディスク、半導体メモリ等の記憶媒体に書き込んだ状態で各種装置に適用する、或いは、通信媒体により伝送して各種装置に適用することも可能である。このように所望の記憶媒体に本実施形態で述べた各処理を記憶させ、他のコンピュータ等でプログラムを実行させることにより、本実施形態の装置を用いた場合と同様の作用効果が得られる。なお、コンピュータは、本実施形態で述べた装置に内蔵されたコンピュータに限定されるわけではなく、記憶媒体に記憶されたプログラムを読み取り可能であって、読み取ったプログラムに従って制御動作を行うＣＰＵ等の演算装置を備えているあらゆるコンピュータを含む。
【０１０４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに特許請求の範囲に記載された発明とその均等の範囲に含まれる。
【符号の説明】
【０１０５】
１００  緊急災害情報受信機            １０１  表示部
１０２  音声出力部                    １０３  入力部
１０４  設定ボタン                    １０５  操作ボタン
１０６  操作ボタン                    １０７  戻るボタン
１０８  決定／再生ボタン              １０９  音量ダイヤル
２０１  アンテナ                      ２０２  ワンセグ受信部
２０３  信号処理部                    ２０４  信号処理記憶部
２０５  マイコン                      ２０６  音声処理部
２０７  制御部                        ２０８  制御記憶部
２０９  出力部                        ２１０  画像処理部
３０１  音声情報履歴テーブル
４０１  変換テーブル                  ４０２  定型文字データテーブル
４０３  定型音声データテーブル        ４０４  設定地域割当ビット番号テーブル
４０５  映像情報履歴テーブル
５０１  項番                          ５０２  日時情報
５０３  警報音声情報
６０１  割当ビット番号                ６０２  地域名文字データ
６０３  地域名音声データ              ６１１〜６１５  データ列
７０１  項番                          ７０２  日時情報
７０３  警報映像情報
８００  緊急地震情報                  ８０１  映像情報
８０２  ワンセグ音声情報              ８０３  ＡＣ信号情報
９００  ＴＳ信号情報                  ９０１  シンクバイト
９０２  インジケータ                  ９０３  レングス
９０４  ＡＣ信号情報
１００１  構成識別                    １００２  開始／終了フラグ
１００３  信号識別                    １００４  現在時刻
１００５  ページ種別                  １００６  地震動情報
【図１】
0006333755.tif 000002
【図２】
0006333755.tif 000003
【図３】
0006333755.tif 000004
【図４】
0006333755.tif 000005
【図５】
0006333755.tif 000006
【図６】
0006333755.tif 000007
【図７】
0006333755.tif 000008
【図８】
0006333755.tif 000009
【図９】
0006333755.tif 000010
【図１０】
0006333755.tif 000011
【図１１】
0006333755.tif 000012
【図１２】
0006333755.tif 000013